(57)【特許請求の範囲】
【請求項１】
第一の通信装置と第二の通信装置とに対して共通の通信規格によって無線で通信するトイレ装置であって、
前記第一の通信装置と前記第二の通信装置とは、それぞれ識別情報が設定されており、
前記識別情報は、通信装置の種別を特定する第一識別情報と前記通信装置の固有の情報である第二識別情報を有し、
前記第一の通信装置の前記第二識別情報を記憶する第一記憶部と、
前記第二の通信装置の前記第二識別情報を記憶する第二記憶部と、
前記第一記憶部に記憶される前記第二識別情報を遠隔操作装置の前記第二識別情報として用いることで前記遠隔操作装置と通信し、前記第二記憶部に記憶される前記第二識別情報を携帯情報端末の前記第二識別情報として用いることで前記携帯情報端末と通信する通信制御部と、
通信相手の装置として登録する際に前記通信相手の装置から取得される前記識別情報に含まれる前記第一識別情報に応じて前記第一記憶部又は前記第二記憶部のいずれかに当該識別情報に含まれる前記第二識別情報を書き込む制御部と、
を備えるトイレ装置。
【請求項２】
前記制御部は、前記登録の際に取得した前記識別情報に含まれる前記第一識別情報に基づいて当該登録の対象が前記遠隔操作装置であると識別した場合には前記第一記憶部に当該識別情報に含まれる前記第二識別情報を書き込み、当該登録の対象が前記携帯情報端末であると識別した場合には前記第二記憶部に当該識別情報に含まれる前記第二識別情報を書き込む請求項１に記載のトイレ装置。
【請求項３】
前記制御部は、前記取得した前記識別情報に前記遠隔操作装置を特定する前記第一識別情報又は前記携帯情報端末を特定する前記第一識別情報のうちいずれかの前記第一識別情報が含まれているか否かに基づいて前記登録の対象が前記遠隔操作装置と前記携帯情報端末のいずれかであるかを識別する請求項２に記載のトイレ装置。
【請求項４】
第一の通信装置と第二の通信装置とに対して共通の通信規格によって無線で通信するトイレ装置であって、
前記第一の通信装置の固有の識別情報を記憶する第一記憶部と、
前記第二の通信装置の固有の識別情報を記憶する第二記憶部と、
前記第一記憶部に記憶される前記固有の識別情報を遠隔操作装置の前記固有の識別情報として用いることで前記遠隔操作装置と通信し、前記第二記憶部に記憶される前記固有の識別情報を携帯情報端末の前記固有の識別情報として用いることで前記携帯情報端末と通信する通信制御部と、
通信相手の装置として１台目に登録する通信相手を前記遠隔操作装置として前記１台目に登録する通信相手の前記固有の識別情報を前記第一記憶部に書き込み、通信相手の装置として登録する２台目以降の通信相手の前記固有の識別情報を前記第二記憶部に書き込む制御部と、
を備えるトイレ装置。
【発明の詳細な説明】
【技術分野】
【０００１】
本発明は、トイレ装置に関する。
【背景技術】
【０００２】
従来、噴射した温水（洗浄水）で人体臀部を洗浄するトイレ装置がある。トイレ装置は、洗浄等の動作指示を当該トイレ装置本体とは別体のリモコンから赤外線通信で受信する。
【０００３】
現在では、スマートフォン等の携帯情報端末から洗浄等の動作指示を受け付けることができるように携帯情報端末とＢｌｕｅｔｏｏｔｈ（登録商標）で通信する通信機能が備えられたトイレ装置が知られている。これにより、ユーザは局部洗浄装置の水勢・水温・ノズル位置等の各個人の快適な使用条件を自身の携帯情報端末からＢｌｕｅｔｏｏｔｈ（登録商標）でトイレ装置に送信することで、トイレ装置に対して快適な使用条件を容易に設定することができる。
【０００４】
ただし、トイレ装置と携帯情報端末との間でＢｌｕｅｔｏｏｔｈ（登録商標）による接続を行うためには、ペアリングを行う必要がある。ペアリングとは、Ｂｌｕｅｔｏｏｔｈ（登録商標）による接続のために相互に相手のＩＤ（以下、「ペアリングＩＤ」という。）を登録し、以後の接続を許可するためのものである。また、トイレ装置が記憶できるペアリングＩＤの数は限られているため、記憶するペアリングＩＤの数が所定値に達した状態で新たなペアリングＩＤが登録されると、トイレ装置は最も古いペアリングＩＤを消去する。
【０００５】
また、トイレ装置は、上述した赤外線通信機能とＢｌｕｅｔｏｏｔｈ（登録商標）通信機能の両方を備え、リモコンと携帯情報端末との両方と通信を行う場合には、装置が大型化する。そこで、トイレ装置は、リモコンについてもＢｌｕｅｔｏｏｔｈ（登録商標）で通信することで、赤外線通信機能を削減することが考えられる。この場合、トイレ装置は、携帯情報端末のペアリングＩＤだけでなく、リモコンのペアリングＩＤも記憶する必要がある。
【先行技術文献】
【特許文献】
【０００６】
【特許文献１】特開２０１３−２３９１４号公報
【発明の概要】
【発明が解決しようとする課題】
【０００７】
しかしながら、機種変更等により新たな携帯情報端末とのペアリングを行ったり、多数のユーザが入れ替わりで利用することにより生じるペアリングが行われ、最も古いペアリングＩＤがリモコンのペアリングＩＤとなった場合には、リモコンのペアリングＩＤを消去されてしまう場合がある。そうすると、トイレ装置は、リモコンからの動作指示を受け付けることができないため、リモコンを使用ができない。この場合、ユーザはリモコンを使用するためには、当該リモコンとトイレ装置との間で再度ペアリングを行う必要があり、非常に面倒である。
【０００８】
本発明は、このような事情に鑑みてなされたもので、その目的は、リモコンと携帯情報端末とに対して共通の通信規格で通信するトイレ装置であって、新しい携帯情報端末の登録が繰り返されたとしても、リモコンを継続して使用できるトイレ装置を提供することである。
【課題を解決するための手段】
【０００９】
本発明の一態様は、第一の通信装置と第二の通信装置とに対して共通の通信規格によって無線で通信するトイレ装置であって、  前記第一の通信装置と前記第二の通信装置とは、それぞれ識別情報が設定されており、前記識別情報は、通信装置の種別を特定する第一識別情報と前記通信装置の固有の情報である第二識別情報を有し、前記第一の通信装置の前記第二識別情報を記憶する第一記憶部と、前記第二の通信装置の前記第二識別情報を記憶する第二記憶部と、前記第一記憶部に記憶される前記第二識別情報を遠隔操作装置の前記第二識別情報として用いることで前記遠隔操作装置と通信し、前記第二記憶部に記憶される前記第二識別情報を携帯情報端末の前記第二識別情報として用いることで前記携帯情報端末と通信する通信制御部と、通信相手の装置として登録する際に前記通信相手の装置から取得される前記識別情報に含まれる前記第一識別情報に応じて前記第一記憶部又は前記第二記憶部のいずれかに当該識別情報に含まれる前記第二識別情報を書き込む制御部と、備えるトイレ装置である。
【００１０】
また、本発明の一態様は、上述のトイレ装置であって、前記制御部は、前記登録の際に取得した前記識別情報に含まれる前記第一識別情報に基づいて当該登録の対象が前記遠隔操作装置であると識別した場合には前記第一記憶部に当該識別情報に含まれる前記第二識別情報を書き込み、当該登録の対象が前記携帯情報端末であると識別した場合には前記第二記憶部に当該識別情報に含まれる前記第二識別情報を書き込む。
【００１１】
また、本発明の一態様は、上述のトイレ装置であって、前記制御部は、前記取得した前記識別情報に前記遠隔操作装置を特定する前記第一識別情報又は前記携帯情報端末を特定する前記第一識別情報のうちいずれかの前記第一識別情報が含まれているか否かに基づいて前記登録の対象が前記遠隔操作装置と前記携帯情報端末のいずれかであるかを識別する。
【００１２】
また、本発明の一態様は、第一の通信装置と第二の通信装置とに対して共通の通信規格によって無線で通信するトイレ装置であって、前記第一の通信装置の固有の識別情報を記憶する第一記憶部と、前記第二の通信装置の固有の識別情報を記憶する第二記憶部と、前記第一記憶部に記憶される前記固有の識別情報を遠隔操作装置の前記固有の識別情報として用いることで前記遠隔操作装置と通信し、前記第二記憶部に記憶される前記固有の識別情報を携帯情報端末の前記固有の識別情報として用いることで前記携帯情報端末と通信する通信制御部と、通信相手の装置として１台目に登録する通信相手を前記遠隔操作装置として前記１台目に登録する通信相手の前記固有の識別情報を前記第一記憶部に書き込み、通信相手の装置として登録する２台目以降の通信相手の前記固有の識別情報を前記第二記憶部に書き込む制御部と、を備えるトイレ装置である。
【発明の効果】
【００１３】
以上説明したように、本発明によれば、リモコンと携帯情報端末とに対して共通の通信規格で通信するトイレ装置であって、新しい携帯情報端末の登録が繰り返されたとしても、リモコンを継続して使用できるトイレ装置を提供することができる。
【図面の簡単な説明】
【００１４】
【図１】第１の実施形態におけるトイレ装置システム１の構成概略の一例を示す図である。
【図２】第１の実施形態における便座ボックス５の概略構成の一例を示す図である。
【図３】第１の実施形態における制御装置１５のペアリング処理の概略構成の一例を示す図である。
【図４】第１の実施形態における制御部１５１の動作の流れを示すフローチャート図である。
【図５】第２の実施形態におけるトイレ装置システム１の構成概略の一例を示す図である。
【図６】第２の実施形態における便座ボックス５Ａの概略構成の一例を示す図である。
【図７】第２の実施形態における制御装置１５Ａのペアリング処理の概略構成の一例を示す図である。
【図８】第２の実施形態における制御部１５１Ａの動作の流れを示すフローチャート図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。
【００１６】
実施形態におけるトイレ装置は、第一の通信装置である遠隔操作装置と第二の通信装置である携帯情報端末とに対して共通の通信規格によって無線で通信するトイレ装置である。トイレ装置は、通信を行う相手として登録する際に取得した識別情報に応じて第一記憶部及び第二記憶部のいずれかに当該識別情報を書き込む。したがって、実施形態におけるトイレ装置と複数の携帯情報端末との間で登録（例えば、ペアリング）しても、トイレ装置内に記憶されているリモコンの識別情報（例えば、ペアリングＩＤ）は消去されない。
以下、実施形態のトイレ装置を、図面を用いて説明する。
【００１７】
（第１の実施形態）
図１は、第１の実施形態におけるトイレ装置システム１の構成概略の一例を示す図である。トイレ装置システム１は、トイレ装置２、リモコン１０及び携帯情報端末２０を備える。
トイレ装置２は、便座装置３及び便器本体４を備える。本実施形態において、トイレ装置２は、便座装置３及び便器本体４を備えるが、これに限定されない。例えば、トイレ装置２は、便座装置３及び便器本体４のいずれかであってもよい。
【００１８】
便座装置３及びリモコン１０は、無線通信することで情報を送受する。便座装置３及び携帯情報端末２０は、無線通信することで情報を送受する。便座装置３及びリモコン１０の通信と、便座装置３及び携帯情報端末２０の通信とは、共通の無線通信規格によって通信される。本実施形態では、Ｂｌｕｅｔｏｏｔｈ（登録商標）の無線通信規格に従って相互間で通信可能である場合について説明する。すなわち、本実施形態では、便座装置３及び携帯情報端末２０は、Ｂｌｕｅｔｏｏｔｈ（登録商標）の無線通信規格に従って相互間で通信可能である。便座装置３及びリモコン１０は、Ｂｌｕｅｔｏｏｔｈ（登録商標）の無線通信規格に従って相互間で通信可能である。ただし、便座装置３は、リモコン１０との間及び携帯情報端末２０との間で無線通信を行うためには、無線通信する通信相手の認証手続であるペアリングを実行する必要がある。ペアリングでは、通信機器相互間で、通信相手の認証のために必要となるペアリングＩＤが交換される。そして、ペアリングにより便座装置３が取得したリモコン１０のペアリングＩＤが第一記憶部１５２１に記憶され、携帯情報端末２０のペアリングＩＤが第二記憶部１５２２に記憶される。これにより、その後、便座装置３とリモコン１０との間及び便座装置３と携帯情報端末２０との間でデータ通信が可能である。そして、便座装置３は、新たな携帯情報端末２０とペアリングする度に、ペアリングした携帯情報端末２０のペアリングＩＤを時系列に第二記憶部１５２２に記憶する。便座装置３は、ペアリングＩＤの数が所定値に達すると、第二記憶部１５２２内に記憶されている最も古いペアリングＩＤを消去する。なお、本実施形態では、便座装置３と携帯情報端末２０とが無線通信するが、これに限定されない。例えば、便器本体４と携帯情報端末２０とが無線通信してもよい。
【００１９】
リモコン１０は、トイレルームの壁面に設置されている。リモコン１０は、制御装置１５と無線通信する。リモコン１０は、臀部洗浄、便器洗浄やリフトアップ動作等といった便座装置３のさまざまな機能を実行させる際に使用される。すなわち、リモコン１０には、便座装置３の各機能に対応するスイッチが複数設けられており、ユーザは、所望の機能に対応したスイッチを操作することで、便座装置３に対して所望の機能を実行させることができる。リモコン１０には、固有の識別情報が記憶されている。ただし、リモコン１０から便座装置３に対して動作指示を無線送信する場合には、リモコン１０と便座装置３との間でペアリングが必要となる。
【００２０】
トイレルームのユーザは携帯情報端末２０を所持しており、携帯情報端末２０によっても便座装置３の各機能を実行させることができる。すなわち、トイレルームのユーザはリモコン１０又は携帯情報端末２０を用いて便座装置３の各機能を実行させることができる。例えば、携帯情報端末２０は、携帯電話、スマートフォン、ノートパソコン、タブレット端末である。例えば、携帯情報端末２０には、所定のアプリケーションがインストールされており、ユーザは、そのアプリケーションを実行することにより洗浄等の動作指示を携帯情報端末２０から便座装置３に無線送信する。これにより、便座装置３の各機能を実行させることができる。携帯情報端末２０には、固有の識別情報が記憶されている。ただし、携帯情報端末２０から便座装置３に対して動作指示を無線送信する場合には、携帯情報端末２０と便座装置３との間でペアリングが必要となる。
【００２１】
便座装置３は、トイレルーム内に設けられた便器本体４上に設置されている。便座装置３は、便座ボックス５、便蓋６及び便座７を備える。
便座ボックス５は、便器本体４の後部に設置されている。
便蓋６及び便座７は、便座ボックス５に上下方向回動可能に支持されている。
図２は、第１の実施形態における便座ボックス５の概略構成の一例を示す図である。
便座ボックス５は、第１人体検知センサ８、第２人体検知センサ９、着座センサ１１、無線通信部１２、制御装置１５、人体臀部洗浄用のシャワー装置１３、ビデ装置１４及びフラッシュ装置１６を備える。
【００２２】
第１人体検知センサ８は、便座ボックス５の上面前縁部に設けられている。第１人体検知センサ８は、便蓋６及び便座７の双方が倒伏した状態において、便器本体４前方の人体を検知する。第１人体検知センサ８は、便器本体４前方の人体を検知した場合に、便器本体４前方の人体を検知したことを示す信号を便座ボックス５に出力する。
第２人体検知センサ９は、便座ボックス５の前面の左右方向における中央の下部に設けられている。第２人体検知センサ９は、便蓋６及び便座７の双方が起立した状態において、便器本体４前方の人体を検知する。第２人体検知センサ９は、便器本体４前方の人体を検知した場合に、便器本体４前方の人体を検知したことを示す信号を制御装置１５に出力する。
【００２３】
着座センサ１１は、ユーザの便座７への着座を検知する。着座センサ１１は、ユーザによる便座７への着座を検知すると、着座検知信号を制御装置１５に出力する。
無線通信部１２は、リモコン１０及び携帯情報端末２０と無線通信する。例えば、無線通信部１２は、Ｂｌｕｅｔｏｏｔｈ（登録商標）によって、リモコン１０及び携帯情報端末２０と無線通信する。
【００２４】
シャワー装置１３及びビデ装置１４は、それぞれ制御装置１５から供給される第１洗浄信号に基づいてノズル（不図示）の先端から温水を噴出する。これにより、シャワー装置１３及びビデ装置１４は、便座７に着座しているユーザの臀部を洗浄する。以下、便座７に着座しているユーザの臀部の洗浄を臀部洗浄と称する場合がある。
【００２５】
フラッシュ装置１６は、制御装置１５から供給される第２洗浄信号に基づいて便器本体４の便鉢に水を流す。これにより、便器本体４の便鉢内を洗浄することができる。以下に、便器本体４の便鉢の洗浄を便器洗浄と称する場合がある。
【００２６】
制御装置１５は、リモコン１０と無線通信する際に、予めリモコン１０との間でペアリングを実行する。制御装置１５は、携帯情報端末２０と無線通信する際に、予め携帯情報端末２０との間で、ペアリングを実行する。制御装置１５は、ペアリング時において、ペアリングした相手のペアリングＩＤがリモコン１０と携帯情報端末２０とのいずれかであるかを判別する。制御装置１５は、自装置内に備えられた複数の記憶部の中から判別結果に応じた記憶部を選択し、選択した記憶部にペアリングＩＤを記憶する。制御装置１５は、無線通信部１２を介してリモコン１０又は携帯情報端末２０からペアリング要求を取得した場合に、ペアリング処理を実行する。なお、以下の説明において、説明の便宜上、制御装置１５がペアリングするリモコン１０と携帯情報端末２０とを総称して、外部装置と呼ぶことがある。
以下に、第１の実施形態における制御装置１５のペアリング処理について、具体的に説明する。
【００２７】
図３は、第１の実施形態における制御装置１５の概略構成の一例を示す図である。
図３に示すように、制御装置１５は、制御部１５１、記憶部１５２及び通信制御部１５３を備える。
【００２８】
制御部１５１は、取得部１５１１、判別部１５１２及び処理部１５１３を備える。記憶部１５２は、第一記憶部１５２１及び第二記憶部１５２２を備える。
取得部１５１１は、無線通信部１２を介して外部装置からペアリング要求を取得すると、当該外部装置から識別情報が供給される。例えば、識別情報は、第一識別情報と第二識別情報を備える。第一識別情報は、外部装置の種類を識別する情報である。すなわち、外部装置には、外部装置の種類毎に異なる第一識別情報が記憶されている。
例えば、リモコン１０の第一識別情報には、リモコンであることを特定可能なコードが含まれている。この特定可能なコードは、リモコン全てにおいて共通でもよいし、リモコンの機種ごとに共通でもよい。また、携帯情報端末２０の第一識別情報には、携帯情報端末であることを特定可能なコードが含まれている。この特定可能なコードは、携帯情報端末全てにおいて共通でもよいし、携帯情報端末の機種ごとに共通でもよい。
例えば、第一識別情報は、ＵＤＩＤ（Unique Device Identifier）、ＩＭＥＩ（International Mobile Equipment Identity）又はＩＭＳＩ（International Mobile Subscriber Identity）等の識別番号である。第二識別情報は、外部装置の固有の情報である。すなわち、外部装置には、外部装置毎に異なる第二識別情報が記憶されている。例えば、第二識別情報は、ペアリングＩＤである。
【００２９】
取得部１５１１は、外部装置から無線通信部１２を介して供給された識別情報を判別部１５１２に供給する。
判別部１５１２は、ペアリングした相手の識別情報がリモコン１０と携帯情報端末２０とのいずれかであるかを判別する。例えば、判別部１５１２は、取得部１５１１から供給された識別情報において、第一識別情報がリモコン１０を示す情報と携帯情報端末２０を示す情報のいずれかであるか判別する。判別部１５１２は、判別結果を処理部１５１３に供給する。
【００３０】
処理部１５１３は、判別部１５１２の判別結果に基づいて、外部装置から供給された識別情報の第二識別情報を第一記憶部１５２１及び第二記憶部１５２２のいずれかに記憶する。
第一記憶部１５２１は、リモコン１０の識別情報のみを記憶可能である。第二記憶部１５２２は、携帯情報端末２０の識別情報を記憶可能であり、リモコン１０の識別情報も記憶可能である。第一記憶部１５２１及び第二記憶部１５２２は、記憶できる識別情報の数が決まっており、識別情報の一部が第一記憶部１５２１に割り当てられ、残りの識別情報の数が第二記憶部１５２２に割り当てられる。例えば、第一記憶部１５２１及び第二記憶部１５２２を合わせて８つの識別情報が記憶可能であり、第一記憶部１５２１が１個の識別情報を記憶可能とし、第二記憶部１５２２が７個の識別情報を記憶可能としてもよい。また、第一記憶部１５２１が２個の識別情報を記憶可能とし、第二記憶部１５２２が６個の識別情報を記憶可能とするように、第一記憶部１５２１が複数の識別情報が記憶されるように設定することもできる。処理部１５１３は、判別部１５１２により第一識別情報がリモコン１０を示す情報であると判別された場合には、外部装置から供給された識別情報の第二識別情報を第一記憶部１５２１に記憶する。一方、処理部１５１３は、判別部１５１２により第一識別情報が携帯情報端末２０を示す情報であると判別された場合には、外部装置から供給された識別情報の第二識別情報を第二記憶部１５２２に記憶する。
【００３１】
また、処理部１５１３は、第二記憶部１５２２に記憶されている第二識別情報の数が所定値に達すると、第二記憶部１５２２に記憶されている第二識別情報の中で最も古い第二識別情報を消去する。本実施形態では、処理部１５１３は、第二記憶部１５２２に対して第二識別情報を時系列に記憶する。これにより、処理部１５１３は、ペアリングした携帯情報端末２０の台数が所定の値に達した場合には、ペアリングした日時が最も古い携帯情報端末２０の第二識別情報を消去することができる。すなわち、ペアリングした携帯情報端末２０の台数が所定の値に達する毎に、ペアリングした日時が最も古い携帯情報端末２０の第二識別情報が消去されるが、リモコン１０の第二識別情報は消去されないため、リモコン１０と便座装置３との間で再度ペアリングを行う必要がない。
【００３２】
通信制御部１５３は、上記ペアリング処理を実行した後に、第一記憶部１５２１に記憶される第一識別情報をリモコン１０の識別情報として用いることでリモコン１０と無線通信部１２を介して無線通信する。また、通信制御部１５３は、第二記憶部１５２２に記憶される第二識別情報を携帯情報端末２０の識別情報として用いることで携帯情報端末２０と無線通信部１２を介して無線通信する。
【００３３】
以下に、第１の実施形態における制御部１５１のペアリング処理の流れについて、説明する。図４は、第１の実施形態における制御部１５１の動作の流れを示すフローチャート図である。
制御部１５１は、外部装置から無線通信部１２を介してペアリング要求を取得したか否かを判定する（ステップＳ１０１）。
制御部１５１は、ペアリング要求を取得した場合に、ペアリング要求の送信元に対して識別情報の送信をリクエストする（ステップＳ１０２）。識別情報の送信を制御部１５１からからリクエストされた外部装置は、便座装置３に対して自装置の識別情報を無線送信する。
【００３４】
制御部１５１は、外部装置から無線通信部１２を介して供給された識別情報において、第一識別情報がリモコン１０を示す情報であるか否かを判定する（ステップＳ１０３）。
【００３５】
制御部１５１は、外部装置から無線通信部１２を介して供給された識別情報において、第一識別情報がリモコン１０を示す情報である場合には、第一記憶部１５２１に第二識別情報を書き込むことで記憶させる（ステップＳ１０４）。一方、制御部１５１は、外部装置から無線通信部１２を介して供給された識別情報において、第一識別情報がリモコン１０を示す情報でない場合には、第二記憶部１５２２に第二識別情報を書き込むことで記憶させる（ステップＳ１０５）。第一識別情報がリモコン１０を示す情報でない場合とは、第一識別情報が携帯情報端末２０を示す情報である場合である。
【００３６】
上述したように、第１の実施形態におけるトイレ装置２は、遠隔操作装置であるリモコン１０と携帯情報端末２０とに対して共通の通信規格によって無線通信される。トイレ装置２は、通信を行う相手として登録する際に取得した識別情報に応じて第一記憶部１５２１及び第二記憶部１５２２のいずれかに当該識別情報を書き込む。
具体的には、第１の実施形態におけるトイレ装置２は、ペアリングによって取得した識別情報に基づいて当該ペアリングの対象がリモコン１０であると識別した場合には第一記憶部１５２１に当該識別情報を書き込み、ペアリングによって取得した識別情報に基づいて当該ペアリングの対象が携帯情報端末２０であると識別した場合には第二記憶部１５２２に当該識別情報を書き込む。これにより、複数の携帯情報端末２０とペアリングを行っても、トイレ装置２内のリモコン１０の識別情報は削除されないため、リモコン１０に対するペアリングのやり直しが発生しない。
【００３７】
また、上述したように、第１の実施形態におけるトイレ装置２は、共通の通信デバイス、すなわち共通の通信規格によってリモコン１０と携帯情報端末２０とのそれぞれと無線通信できるので、それぞれで別の通信デバイスを搭載するよりも、コストや搭載スペースが節約できる。
また、トイレ装置２は、携帯情報端末２０の機種変更等により新たな携帯情報端末２０とのペアリングを行ったり、多数のユーザが入れ替わりで利用することにより生じるペアリングが行われても、備え付けのリモコン１０とのペアリング情報である識別情報はトイレ装置２から排除されないので、リモコン１０を継続して使用することができる。トイレ装置２は、何台も携帯情報端末２０とペアリングしても、リモコン１０と再ペアリングすることなく、リモコン１０を継続して使用することができる。
【００３８】
（第２の実施形態）
図５は、第２の実施形態におけるトイレ装置システム１Ａの構成概略の一例を示す図である。トイレ装置システム１Ａは、トイレ装置２Ａ、リモコン１０及び携帯情報端末２０を備える。
トイレ装置２Ａは、便座装置３Ａ及び便器本体４を備える。本実施形態において、トイレ装置２Ａは、便座装置３Ａ及び便器本体４を備えるが、これに限定されない。例えば、トイレ装置２Ａは、便座装置３Ａ及び便器本体４のいずれかであってもよい。
【００３９】
便座装置３Ａ及びリモコン１０は、無線通信することで情報を送受する。便座装置３Ａ及び携帯情報端末２０は、無線通信することで情報を送受する。便座装置３Ａ及びリモコン１０の通信と、便座装置３Ａ及び携帯情報端末２０の通信とは、共通の通信規格で通信する。第２の実施形態では、第１の実施形態と同様に、Ｂｌｕｅｔｏｏｔｈ（登録商標）の無線通信規格に従って相互間で通信可能である場合について説明する。すなわち、本実施形態では、便座装置３Ａ及び携帯情報端末２０は、Ｂｌｕｅｔｏｏｔｈ（登録商標）の無線通信規格に従って相互間で通信可能である。便座装置３Ａ及びリモコン１０は、Ｂｌｕｅｔｏｏｔｈ（登録商標）の無線通信規格に従って相互間で通信可能である。ただし、便座装置３Ａは、リモコン１０との間及び携帯情報端末２０との間で無線通信を行うためには、ペアリングを実行する必要がある。便座装置３Ａは、新たな携帯情報端末２０とペアリングする度に、ペアリングした携帯情報端末２０のペアリングＩＤを時系列に第二記憶部１５２２に記憶する。便座装置３Ａは、ペアリングＩＤの数が所定値に達すると、第二記憶部１５２２内に記憶されている最も古いペアリングＩＤを消去する。
【００４０】
便座装置３Ａは、トイレルーム内に設けられた便器本体４上に設置されている。便座装置３Ａは、便座ボックス５Ａ、便蓋６及び便座７を備える。便座ボックス５Ａは、便器本体４の後部に設置されている。
図６は、第２の実施形態における便座ボックス５Ａの概略構成の一例を示す図である。
便座ボックス５Ａは、第１人体検知センサ８、第２人体検知センサ９、着座センサ１１、無線通信部１２、制御装置１５Ａ、人体臀部洗浄用のシャワー装置１３、ビデ装置１４及びフラッシュ装置１６を備える。
【００４１】
制御装置１５Ａは、リモコン１０と無線通信する際に、予めリモコン１０との間でペアリングを実行する。制御装置１５Ａは、携帯情報端末２０と無線通信する際に、予め携帯情報端末２０との間で、ペアリングを実行する。制御装置１５Ａは、ペアリングした１台目の外部装置のペアリングＩＤを第一記憶部１５２１に記憶する。制御装置１５Ａは、ペアリングした２台目以降の外部装置のペアリングＩＤを第二記憶部１５２２に記憶する。
建物に対する便座装置３Ａの導入時や便座装置３Ａの出荷時において、作業者は、便座装置３Ａと所定のリモコン１０との間でペアリング処理を実行させる。すなわち、便座装置３Ａが最初にペアリングする外部装置は必ずリモコン１０となる。したがって、第一記憶部１５２１には、リモコン１０のペアリングＩＤが記憶され、第二記憶部１５２２には、携帯情報端末２０のペアリングＩＤが記憶される。
【００４２】
図７は、第２の実施形態における制御装置１５Ａの概略構成の一例を示す図である。
図７に示すように、制御装置１５Ａは、制御部１５１Ａ、記憶部１５２及び通信制御部１５３を備える。
【００４３】
制御部１５１Ａは、取得部１５１１及び処理部１５１３Ａを備える。記憶部１５２は、第一記憶部１５２１及び第二記憶部１５２２を備える。
取得部１５１１は、無線通信部１２を介して外部装置からペアリング要求を取得すると、当該外部装置から識別情報が供給される。例えば、識別情報は、外部装置の固有の情報である。すなわち、外部装置には、外部装置毎に異なる識別情報が記憶されている。例えば、識別情報は、ペアリングＩＤである。取得部１５１１は、外部装置から無線通信部１２を介して供給された識別情報を処理部１５１３Ａに供給する。
【００４４】
処理部１５１３Ａは、取得部１５１１から識別情報が供給された場合に、過去にペアリング処理を実行したか否かを判定する。本実施形態では、制御装置１５Ａは、自装置内の不図示の記憶部にペアリング処理の実行履歴を記憶している。したがって、処理部１５１３Ａは、ペアリング処理の実行履歴がない場合には、過去にペアリング処理を実行したことがないと判定する。一方、処理部１５１３Ａは、ペアリング処理の実行履歴がある場合には、過去にペアリング処理を実行したことがあると判定する。
【００４５】
処理部１５１３Ａは、過去にペアリング処理を実行したことがないと判定した場合には、取得部１５１１から供給された識別情報を第一記憶部１５２１に記憶する。処理部１５１３Ａは、過去にペアリング処理を実行したことがあると判定した場合には、取得部１５１１から供給された識別情報を第二記憶部１５２２に記憶する。
【００４６】
また、処理部１５１３Ａは、第二記憶部１５２２に記憶されている識別情報の数が所定値に達すると、第二記憶部１５２２に記憶されている識別情報の中で最も古い識別情報を消去する。本実施形態では、処理部１５１３Ａは、第二記憶部１５２２に対して識別情報を時系列に記憶する。これにより、処理部１５１３Ａは、ペアリングした携帯情報端末２０の台数が所定の値に達した場合には、ペアリングした日時が最も古い携帯情報端末２０の識別情報を消去することができる。すなわち、ペアリングした携帯情報端末２０の台数が所定の値に達する毎に、ペアリングした日時が最も古い携帯情報端末２０の識別情報が消去されるが、リモコン１０の識別情報は消去されないため、リモコン１０と便座装置３Ａとの間で再度ペアリングを行う必要がない。
【００４７】
以下に、第２の実施形態における制御部１５１Ａのペアリング処理の流れについて、説明する。図８は、第２の実施形態における制御部１５１Ａの動作の流れを示すフローチャート図である。
制御部１５１Ａは、外部装置から無線通信部１２を介してペアリング要求を取得したか否かを判定する（ステップＳ２０１）。
制御部１５１Ａは、ペアリング要求を取得した場合に、ペアリング要求の送信元に対して識別情報の送信をリクエストする（ステップＳ２０２）。識別情報の送信を制御部１５１Ａからリクエストされた外部装置は、便座装置３Ａに対して自装置の識別情報を無線送信する。
【００４８】
制御部１５１Ａは、外部装置から無線通信部１２を介して識別情報を取得した場合に、過去にペアリング処理を実行したか否かを判定する（ステップＳ２０３）。処理部１５１３Ａは、過去にペアリング処理を実行したことがあると判定した場合には、取得部１５１１から供給された識別情報を第二記憶部１５２２に書き込むことで記憶する（ステップＳ２０４）。一方、処理部１５１３Ａは、過去にペアリング処理を実行したことがないと判定した場合には、取得部１５１１から供給された識別情報を第一記憶部１５２１に書き込むことで記憶する（ステップＳ２０５）。これにより、制御部１５１Ａは、ペアリングした１台目の外部装置の識別情報を第一記憶部１５２１に記憶し、ペアリングした２台目以降の外部装置の識別情報を第二記憶部１５２２に記憶する。そして、上述したように、建物に対する便座装置３Ａの導入時や便座装置３Ａの出荷時において、作業者は、便座装置３Ａと所定のリモコン１０との間でペアリング処理を実行させる。そのため、制御部１５１Ａがペアリングした１台目の外部装置は必ずリモコン１０となる。したがって、第一記憶部１５２１には、リモコン１０の識別情報が記憶され、第二記憶部１５２２には、複数の携帯情報端末２０の識別情報が記憶される。
【００４９】
上述したように、第２の実施形態におけるトイレ装置２Ａは、リモコン１０と携帯情報端末２０とに対して共通の通信規格によって無線でペアリングする。トイレ装置２Ａは、通信を行う相手として登録する際に取得した識別情報に応じて第一記憶部１５２１及び第二記憶部１５２２のいずれかに当該識別情報を書き込む。
具体的には、第２の実施形態におけるトイレ装置２Ａは、ペアリングによって取得した１台目の外部装置の識別情報を第一記憶部１５２１に書き込み、２台目以降の外部装置の識別情報を第二記憶部１５２２に書き込む。これにより、複数の携帯情報端末２０とペアリングを行っても、トイレ装置２Ａ内のリモコン１０の識別情報は削除されないため、リモコン１０に対するペアリングのやり直しが発生しない。
【００５０】
また、上述したように、第２の実施形態におけるトイレ装置２Ａは、共通の通信デバイス、すなわち同一の通信規格によってリモコン１０と携帯情報端末２０とのそれぞれと無線通信できるので、それぞれで別の通信デバイスを搭載するよりも、コストや搭載スペースが節約できる。
また、トイレ装置２Ａは、携帯情報端末２０の機種変更等により新たな携帯情報端末２０とのペアリングを行ったり、多数のユーザが入れ替わりで利用することにより生じるペアリングが行われても、備え付けのリモコン１０とのペアリング情報である識別情報はトイレ装置２Ａから排除されないので、リモコン１０を継続して使用することができる。トイレ装置２Ａは、何台も携帯情報端末２０とペアリングしても、リモコン１０と再ペアリングすることなく、リモコン１０を継続して使用することができる。
【００５１】
上述した実施形態における制御装置１５、制御装置１５Ａをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００５２】
以上、この発明の実施形態について図面を参照して詳述してきたが、具体的な構成はこの実施形態に限られるものではなく、この発明の要旨を逸脱しない範囲の設計等も含まれる。
【００５３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５４】
１  トイレ装置システム
２  トイレ装置
３、３Ａ  便座装置
４  便器本体
１０  リモコン
２０  携帯情報端末
１５、１５Ａ  制御装置
１５１、１５１Ａ  制御部
１５２  記憶部
１５１１  取得部
１５１２  判別部
１５１３  処理部
１５２１  第一記憶部
１５２２  第二記憶部
【図１】
0006649045.tif 000002
【図２】
0006649045.tif 000003
【図３】
0006649045.tif 000004
【図４】
0006649045.tif 000005
【図５】
0006649045.tif 000006
【図６】
0006649045.tif 000007
【図７】
0006649045.tif 000008
【図８】
0006649045.tif 000009